(57)【要約】      （修正有）【課題】アクセサリー、オフィス文具、紙類またはケーブルなど様々な物を効果的に結束、または固定することができる固定用道具を提供する。【解決手段】少なくとも２つの磁性体と、前記磁性体をそれぞれ収容する少なくとも２つの固定部２００と、柔軟な素材で構成され、少なくとも２つの固定部２００とそれぞれ連結される紐部３００を含む。【選択図】図１
0003203663.tif 000002
【実用新案登録請求の範囲】
【請求項１】
少なくとも２の磁性体と、
前記磁性体をそれぞれ収容する少なくとも２つの固定部と、および
柔軟な素材で構成され、少なくとも２つの前記固定部と、それぞれ連結される紐部を含み、
前記紐部および少なくとも２つの前記固定部は柔軟な素材で一体に成形され、
前記磁性体はコイン型に構成され、前記固定部はコイン型に構成される前記磁性体の前面、背面、および側面のうち、少なくとも２面を囲んで弾性的に固定し、
ここで、前記固定部は、前記磁性体を収容する収容空間が形成されたホルダーと、前記紐部から延設され、前記ホルダーが弾性結合するホルダー収容部を含むことを特徴とする固定用道具。
【請求項２】
前記ホルダーは、周面が傾斜に形成された係止部と、前記係止部に段差付けて結合する円筒状の胴体を含むことを特徴とする、請求項１に記載の固定用道具。
【請求項３】
前記磁性体は、２つ設けられ、前記紐部の両端には、２つの前記磁性体をそれぞれ収容する２つの前記固定部のそれぞれに形成されることを特徴とする、請求項１または２に記載の固定用道具。
【請求項４】
前記紐部の内部には、少なくとも一つの線形の補強部材が設置されることを特徴とする、請求項３に記載の固定用道具。
【請求項５】
前記磁性体は、４つ設けられ、前記紐部は第１方向に長く形成される第１紐部と第２方向に長く形成され、前記第１紐部と交差するように形成される第２紐部に構成され、前記第１紐部の両端および前記第２紐部の両端には、４つの前記磁性体をそれぞれ収容する前記固定部が形成されることを特徴とする、請求項１記載の固定用道具。
【請求項６】
前記第１紐部と前記第２紐部は垂直に交差することを特徴とする、請求項５に記載の固定用道具。
【請求項７】
前記磁性体は、４つ設けられ、前記紐部はメイン紐部と、該メイン紐部の両端のうち、いずれか一端には、２つの第１枝別れ紐部が形成され、前記メイン紐部の両端のうち、他の一端には、２つの第２枝分かれ状紐部が形成されており、２つの前記第１枝分かれ状紐部の端部および２つの第２枝分かれ状紐部の端部には、４つの前記磁性体をそれぞれ収容する前記磁性体収容部のそれぞれに形成されることを特徴とする、請求項１に記載の固定用道具。
【請求項８】
前記磁性体は、２つ設けられ、前記紐部の中心に穴が形成された環状の第３紐部と、該第３紐部から第３方向に延設される第４紐部と、前記第３紐部から第４方向に延設される第５紐部が形成されており、前記第４紐部端部と前記第５紐部の端部には、２つの前記磁性体をそれぞれ収容する前記磁性体収容部が形成されることを特徴とする、請求項１記載の固定用道具。
【考案の詳細な説明】
【技術分野】
【０００１】
本考案は、固定用の道具に係り、さらに詳しくは、磁性体の磁力を用いて対象物を結束、または固定するのに用いられる固定用道具に関する。
【背景技術】
【０００２】
アクセサリー、オフィス文具、紙類またはケーブルなどを結束、または固定するために通常、バンドタイプまたは紐タイプの固定用道具などを使用することができる。ケーブルを結束するにあたり、大韓民国公開特許公報第１０−２００５−０００８６３８号において、引張により剥離する粘着テープ物品が開示されている。引張により剥離する粘着テープ物品は、結束紐が含まれるが、結束紐は、閉ループが形成されるよう帯状に構成されている。また、取付け部分と整合表面により結束物品が固定されるように構成される。しかしながら、このような構成は、ケーブルなどのような線材を結束する用途に限定される可能性が大きく、結束作業に比べて取り外し作業に手間がかかることがある。
【０００３】
また、書類のような紙類を固定するにおいて、大韓民国公開特許公報第１０−２０１２−００１４２７５号にて書類固定用クリップが開示されている。書類固定用クリップは、収容された書類を弾性力で加圧する弾性加圧片を含む。しかしながら、このような構成もまた所定の書類を固定する用途に止まる。
【考案の概要】
【考案が解決しようとする課題】
【０００４】
これに本考案は、前記した問題点を解決するためのものであって、アクセサリー、オフィス文具、紙類またはケーブルなどのようなさまざまなものを効果的に結束、または固定することができる整理用道具を提供することをその目的とする。
【０００５】
前記目的を達成するための本考案は、、少なくとも２つの磁性体と、該磁性体をそれぞれ収容する少なくとも２つの固定部および柔軟な素材で構成され、少なくとも２つの前記固定部とそれぞれ連結される紐部を含む固定用道具を提供することができる
好ましくは、前記紐部および少なくとも２つの前記固定部は、柔軟な素材で一体に成形することができる。
【０００６】
好ましくは、前記磁性体はコイン型で構成され、前記固定部はコイン型で構成される前記磁性体の前面、背面および側面のうち、少なくとも２面を囲んで弾性的に固定することができる。
【０００７】
好ましくは、前記固定部は、前記磁性体を収容する収容空間が形成されたホルダーと、前記紐部で延設され、前記ホルダーが弾性結合するホルダー収容部を含むことができる。
【０００８】
好ましくは、前記ホルダーは周面が傾斜に形成された係止部と、該係止部に段差付けて結合する円筒状の胴体を含むことができる。
【０００９】
好ましくは、前記磁性体は、２つ設けられ、前記紐部の両端には、２つの前記磁性体をそれぞれ収容する２つの前記固定部がそれぞれ形成されることができる。
【００１０】
好ましくは、前記紐部の内部には少なくとも１つの線状の補強部材が設けられることができる。
【００１１】
好ましくは、前記磁性体は、４つ設けられ、前記紐部は第１方向に長く形成される第１紐部と、前記第２方向に長く形成され、前記第１紐部と交差するように形成される第２紐部で構成され、前記第１紐部の両端および前記第２紐部の両端には、４つの前記磁性体をそれぞれ収容する前記固定部が形成されることができる。
【００１２】
好ましくは、前記第１紐部と前記第２紐部は、垂直に交差することができる。
【００１３】
好ましくは、前記磁性体は、４つ設けられ、前記紐部はメイン紐部と前記メイン紐部の両端のいずれか一端には、２つの第１枝分かれ状紐部が形成され、前記メイン紐部の両端のうち、他の一端には、２つの第２枝分かれ状紐部が形成され、２つの前記第１枝分かれ状紐部の端部および２つの第２枝分かれ状紐部の端部には、４つの前記磁性体をそれぞれ収容する前記磁性体収容部がそれぞれ形成することができる。
【００１４】
好ましくは、前記磁性体は、２つ設けられ、前記紐部の中心に穴が形成された環状の第３紐部と、該第３紐部から第３方向に延設される第４紐部と、前記第３紐部から第４方向に延設される第５紐部が形成され、前記第４紐部の端部と前記第５紐部の端部には、２つの前記磁性体をそれぞれ収容する前記磁性体収容部が形成されることができる。
【考案の効果】
【００１５】
本考案による整理用道具によれば、軟質で形成される紐部の端部に磁力により相互付着する磁性体と、これを収容する固定部を備えることにより、アクセサリー、オフィス文具、紙類またはケーブルなどのようなさまざまなものを効果的に結束、または固定することができる有利な効果を提供する。
【図面の簡単な説明】
【００１６】
【図１】図１は、本考案の好ましい第１実施形態に係る整理用道具を示す図である。
【図２】図２は、図１に示す第１実施例の分解斜視図である。
【図３】図３は、図１に示すホルダーを示す図である。
【図４】図４、図１に示す第１の実施例であって、磁性体が含まれた２つの固定部が磁力により相互付着した状態を示す図である。
【図５】図５は、本考案の好ましい第２実施形態に係る整理用道具を示す図である。
【図６】図６は、本考案の好ましい第３実施形態に係る整理用道具を示す図である。
【図７】図７は、本考案の好ましい第４実施形態に係る整理用道具を示す図である。
【図８】図８は、図１に示す２つの第１の実施例が連結された状態を示す図である。
【図９】図９は、図１に示す第１の実施例の使用例であって、仕切り側壁に固定してアクセサリーを整理した状態を示す図である。
【図１０】図１に示す第１実施例の使用例であって、ケーブルを結束して整理した状態を示す図である。
【図１１】図１に示す第１実施例の使用例であって、書類の山を固定して整理した状態を示す図である。
【図１２】図１２は、図１に示す第１の実施例の使用例であって、しおりとして使用されている状態を示す図である。
【考案を実施するための形態】
【００１７】
以下、本考案の好ましい実施例を添付された図面を参照して詳細に説明する。まず、各図面の構成要素に参照符号を付加するに当たって、同じ構成要素については、たとえ他の図面上に表示されても、できる限り同じ符号を付していることに留意しなければならない。また、以下で本考案の好ましい実施例を説明するが、本考案の技術的思想は、これに限定、または制限されず、当業者により変形され、多様に実施されることができるのは、無論である。
【００１８】
本考案は、柔軟な紐部と、紐部に連結された磁石のような磁性体が相互に付着して対象物を固定したり、結束して固定する技術的特徴がある。
【第１実施例】
【００１９】
図１は、本考案の好ましい第１実施形態に係る整理用道具を示す図であり、図２は、図１に示す第１実施例の分解斜視図である。
【００２０】
このような図１および図２は、本考案を概念的に明確に理解するため、主要な特徴部分のみを明確に示したものであり、その結果、図解の多様な変形が予想され、図面に示された特定の形状により、本考案の範囲が制限される必要はない。
【００２１】
図１および図２を並行して参照すれば、本考案の好ましい第１実施形態に係る整理用道具の第１実施例１０は、少なくとも２つの磁性体１００と、磁性体１００をそれぞれ収容する少なくとも２つの固定部２００と、柔軟な素材で構成されて少なくとも２つの固定部２００とそれぞれ連結される紐部３００と、を含むことができる。ここで、固定部２００と紐部３００は、その形状および機能的特性に応じて区分されて説明されることができるだけであり、相互連結された一つの手段であることを予め言及するところである。
【００２２】
磁性体１００は、少なくとも２つ以上が設けられることができる。第１実施例において、磁性体１００は、２つ設けられ、紐部３００に連結された固定部２００にそれぞれ収容されることができる。このような磁性体１００は、コイン型に形成することができる。これは、固定部２００の前面および背面において相互付着領域を確保するためである。
【００２３】
固定部２００は、紐部３００の端部にそれぞれ形成され、磁性体１００を収容する。それぞれの固定部２００は、磁性体１００の磁力により互いに突き合うことにより、対象物に対する固定力を提供する。第１実施例において、このような固定部２００は、ホルダー２１０と、ホルダー収容部２３０を含むことができる。
【００２４】
ホルダー２１０は、内部に磁性体１００の収容空間２１３を形成する。収容空間２１３は、コイン型磁性体１００に対応して丸く平たい形に形成され、磁性体１００の前面、背面、および側面のうち、少なくとも２面を囲んで弾性的に固定するように形成されることができる。
【００２５】
図３は、図１に示すホルダーを示す図である。図３を参照すると、ホルダー２１０は、周面が傾斜に形成された係止部２１１と、係止部２１１に段差付けて結合する円筒状の胴体２１２を含むことができる。係止部２１１には、収容空間２１３の入口が形成され、磁性体１００が挿入されることができる。また、係止部２１１は、ホルダー収容部２３０に弾性結合されるようになる。このような係止部２１１は、端部が切断された円錐状に形成され、円筒状胴体２１２と段差付けて形成されることによって、ホルダー収容部２３０から外れないように固定することができる。
【００２６】
円筒胴体２１２は、内部に収容空間２１３の一部が形成されることができ、ホルダー収容部２３０の開放領域を覆う役割をする。
【００２７】
ホルダー収容部２３０は、紐部３００の両端から延設され、ホルダー２１０が挿入され装着されるよう空間を形成する。ホルダー収容部２３０は、上面が開放された形態で実施されることができ、弾性変形可能に形成することができる。ホルダー収容部２３０の開放された上面の直径はホルダー２１０の係止部２１１の直径よりも小さく形成され、弾性変形され、挿入装着された係止部２１１が外れないように構成される。
【００２８】
ユーザーは、ホルダー収容部２３０を拡張変形させ、ホルダー２１０を分離させ、ホルダー２１０から磁性体を分離することができる。
【００２９】
本考案を説明するに当たって、コイン型の磁性体１００に対応して固定部２００を平たい円筒状に例示したが、本考案はこれに限定されず、磁性体１００の形状に対応して多様に形成されることができる。また、固定部２００は、磁性体１００の形状とは無関係に磁性体１００の磁力により相互付着領域を確保する構成であれば、様々な形に変更実施することができる。
【００３０】
紐部３００は、柔軟な素材で構成され、自由に曲がり、変形可能に形成することができる。紐部３００は、エラストマー部材で形成することができ、エラストマー部材は、天然ゴム、合成ゴム、シリコンおよびこれらの組み合わせで構成することができる。前記に記載したように、紐部３００は、固定部２００と同じ素材で構成され、一体に形成することができる。
【００３１】
補強部材４００は、図２に示すように、紐部３００の内部に形成されて紐部３００の形態を保持するか、または剛性を補強する役割をする。補強部材４００として鉄心が使用されることができ、所定の長さに形成される複数の補強部材４００が紐部３００の内部に設けられることができる。
【００３２】
図４は、図１に示す第１実施例であって、磁性体が含まれた２つの固定部が磁力により相互に付着した状態を示す図である。図４を参照すると、紐部３００が曲がり、紐部３００の両端に形成された固定部２００が、相互磁力により突きあうことにより、対象物を結束、または固定させることができることを確認することができる。このとき、紐部３００の長さおよび直径は、用途に応じて変更実施することができ、紐部３００の長さおよび直径に応じて固定部２００の大きさも異ならしてすることができる。
【第２実施例】
【００３３】
図５は、本考案の好ましい第２実施形態に係る整理用道具を示す図である。図５に図示す本考案による第２の実施例では、前述した第１実施形態に係る紐部３００が第１紐部３１０と第２紐部３２０で構成され、第１紐部３１０と第２紐部３２０の両端には、それぞれ、すべて４つの固定部２００が設けられたものである。磁性体１００は、すべて４つ設けることができる。各固定部２００の構成は、第１実施例と同じであるため、重複する説明は省略する。
【００３４】
第１紐部３１０と第２紐部３２０は、互いに垂直交差して十字状に構成することができる。
【第３実施例】
【００３５】
図５は、本考案の好ましい第２実施形態に係る整理用道具を示す図である。図５に示す本考案による第３実施例は、前述した第１実施形態に係る紐部３００がメイン紐部３３０と、メイン紐部３００の両端のうち、いずれか一端には、２つの第１枝分かれ状紐部３４１、３４２が形成され、メイン紐部３３０の両端のうち、他の一端には２つの第２枝分かれ状紐部３５１、３５２が形成され、第１枝分かれ状紐部３４１、３４２と第２枝分かれ状紐部３５１、３５２の端部には、それぞれすべて４つの固定部２００が設けられたものである。磁性体１００は、いずれも２つ設けることができる。各固定部２００の構成は、第１実施例と同じであるため、重複する説明は省略する。
【第４実施例】
【００３６】
図７は、本考案の好ましい第４実施形態に係る整理用道具を示す図である。図７に示す本考案による第４実施例は、第１実施形態に係る紐部３００が中心に穴が形成された環状の第３紐部３６０と、第３紐部３６０から延設されている第４紐部３７０と、前記第３紐部から延設される第５紐部３８０が形成され、第４紐部３７０の端部と前記第５紐部３８０の端部には、２つの固定部２００が設けられたものである。磁性体１００は、いずれも２つが設けられることができる。第４紐部３７０と第５紐部３８０は、第３紐部３６０を中心に相互対向して延設することができる。
【００３７】
環状の第３紐部３６０には、対象物の一部が挿入されるか、または所定の構造物の一部が挿入されることもある。各固定部２００の構成は、第１実施例と同一であるため、重複する説明は省略する。
【００３８】
以下、図８ないし図１２を参照して、本考案による第１実施例の使用例を説明する。
【００３９】
図８は、図１に示す２つの第１の実施例が連結された状態を示す図である。図８に示すように、第１実施例１０を他方の整理道具２０と連結して使用することができる。すなわち、一方の整理道具１０の固定部のうち、いずれかと他方の整理道具２０の固定部のうち、いずれかを磁力により相互に連結されるように構成して実施することができる。このように複数の整理道具１０、２０…を線形に連結して、用途に合わせて変形実施することができる。
【００４０】
図９は、図１に示す第１実施例の使用例であって、仕切り側壁に固定し、アクセサリーをまとめた状態を示す図である。図９に示す本考案による第１実施例１０の使用例は、２つの固定部２００のいずれかにホッチキス針除去道具Ｐ１を取り付け、２つの固定部２００のうち、他の一つは、鉄材で構成される仕切りに取り付ける形態とすることができる。ホッチキス針除去道具Ｐ１に加えて、クリップなどの金属素材の文具類などを固定部２００に同時に取り付けることにより、机の上に散在していた文具類やアクセサリーをきれいに整理することが可能である。
【００４１】
図１０は、図１に示す第１実施例の使用例であって、ケーブルを結束して整理した状態を示す図である。図１０に示す本考案による第１実施例１０の使用例は、紐部３００でケーブルＰ２を巻いて、紐部３００の両端に形成された固定部２００が磁力により相互付着されることにより、ケーブルＰ２を巻いた紐部３００を固定する形態であるとすることができる。
【００４２】
図１１は、図１に示す第１実施例の使用例であって、書類を固定して整理した状態を示す図である。図１１に示す本考案による第１実施例１０の使用例は、紐部３００の両端に形成された固定部２００との間に書類Ｐ３を挟むと、対向配置された固定部２００の人力で書類を固定することができるようになる。この他にメモ用紙などを固定して鉄材黒板や鉄材フィクスチャに付着する形で実施することができる。
【００４３】
図１２は、図１に示す第１実施例の使用例であって、しおりとして使用されている状態を図示した図である。図１２に示す考案による第１実施例１０の使用例は、紐部３００の両端に形成された固定部２００のうち、いずれかを本Ｐ４の読んでいたページに挟んでおいて、固定部２００のうち、他の一つを本Ｐ４の表紙に位置させ、しおりとして使用する形態であることができる。
【００４４】
前記のように、本考案による第１実施例の使用例を説明したが、本考案は、これに限定されず、整理対象物の種類に応じて多様に変更実施することができる。
【００４５】
以上の説明は、本考案の技術思想を例示的に説明したものに過ぎないものであり、本考案が属する技術分野にて通常の知識を有する者であれば、本考案の本質的な特性から逸脱しない範囲内で多様な修正、変更、および置換が可能である。したがって、本考案に開示された実施例および添付された図面は、本考案の技術思想を限定するためのものではなく説明するためのものであり、これらの実施例および添付された図面によって本考案の技術思想の範囲が限定されるものではない。本考案の保護範囲は次の請求範囲により解釈されるべきであり、それと同等の範囲内にあるすべての技術思想は、本考案の権利範囲に含まれるものと解釈されるべきである。
【図１】
0003203663.tif 000003
【図２】
0003203663.tif 000004
【図３】
0003203663.tif 000005
【図４】
0003203663.tif 000006
【図５】
0003203663.tif 000007
【図６】
0003203663.tif 000008
【図７】
0003203663.tif 000009
【図８】
0003203663.tif 000010
【図９】
0003203663.tif 000011
【図１０】
0003203663.tif 000012
【図１１】
0003203663.tif 000013
【図１２】
0003203663.tif 000014
【手続補正書】
【提出日】平成28年2月4日(2016.2.4)
【手続補正１】
【補正対象書類名】実用新案登録請求の範囲
【補正対象項目名】全文
【補正方法】変更
【補正の内容】
【実用新案登録請求の範囲】
【請求項１】
少なくとも２の磁性体と、
前記磁性体をそれぞれ収容する少なくとも２つの固定部と、および
柔軟な素材で構成され、少なくとも２つの前記固定部と、それぞれ連結される紐部を含み、
前記紐部および少なくとも２つの前記固定部は柔軟な素材で一体に成形され、
前記磁性体はコイン型に構成され、前記固定部はコイン型に構成される前記磁性体の前面、背面、および側面のうち、少なくとも２面を囲んで弾性的に固定し、
ここで、前記固定部は、前記磁性体を収容する収容空間が形成されたホルダーと、前記紐部から延設され、前記ホルダーが弾性結合するホルダー収容部を含むことを特徴とする固定用道具。
【請求項２】
前記ホルダーは、周面が傾斜に形成された係止部と、前記係止部に段差付けて結合する円筒状の胴体を含むことを特徴とする、請求項１に記載の固定用道具。
【請求項３】
前記磁性体は、２つ設けられ、前記紐部の両端には、２つの前記磁性体をそれぞれ収容する２つの前記固定部のそれぞれに形成されることを特徴とする、請求項１または２に記載の固定用道具。
【請求項４】
前記紐部の内部には、少なくとも一つの線形の補強部材が設置されることを特徴とする、請求項３に記載の固定用道具。
【請求項５】
前記磁性体は、４つ設けられ、前記紐部は第１方向に長く形成される第１紐部と第２方向に長く形成され、前記第１紐部と交差するように形成される第２紐部に構成され、前記第１紐部の両端および前記第２紐部の両端には、４つの前記磁性体をそれぞれ収容する前記固定部が形成されることを特徴とする、請求項１記載の固定用道具。
【請求項６】
前記第１紐部と前記第２紐部は垂直に交差することを特徴とする、請求項５に記載の固定用道具。
【請求項７】
前記磁性体は、４つ設けられ、前記紐部はメイン紐部と、該メイン紐部の両端のうち、いずれか一端には、２つの第１枝別れ紐部が形成され、前記メイン紐部の両端のうち、他の一端には、２つの第２枝分かれ状紐部が形成されており、２つの前記第１枝分かれ状紐部の端部および２つの第２枝分かれ状紐部の端部には、４つの前記磁性体をそれぞれ収容する磁性体収容部がそれぞれに形成されることを特徴とする、請求項１に記載の固定用道具。
【請求項８】
前記磁性体は、２つ設けられ、前記紐部の中心に穴が形成された環状の第３紐部と、該第３紐部から第３方向に延設される第４紐部と、前記第３紐部から第４方向に延設される第５紐部が形成されており、前記第４紐部端部と前記第５紐部の端部には、２つの前記磁性体をそれぞれ収容する磁性体収容部が形成されることを特徴とする、請求項１記載の固定用道具。